(57)【要約】      （修正有）【課題】キッチンを少しでも広く使えるように、シンクなどに容易に取り付けできる構造を持った折りたたみ式小型テーブルを提供する。【解決手段】シンクに取り付ける場合には、小型テーブル本体１とサブテーブル２をピン６にて枢着し可動自在になるようにし、そのサブテーブル２にピン２８にて枢着している取り付け金具に通すネジ３ａでシンク部８に固定。又、小さいテーブル等に取り付ける場合には、サブテーブル２とピン２７にて枢着している取り付け金具本体２８を９０度角度を変え小さいテーブル等の端部に取り付ける。【選択図】図１
0003158377.tif 000002
【実用新案登録請求の範囲】
【請求項１】
小型テーブルに折りたたみ機能と、様々な大きさ、厚さのキッチンのシンクや小さなテーブル等に対応した取り付け部を設け、取り付け場所を選ばないことを特徴とする。上部に取り外し可能なトレイと下部に取り外し可能な受け皿を持つ折りたたみ式小型テーブル。
【考案の詳細な説明】
【技術分野】
【０００１】  本案件は、端部にネジ式固定具があり、上部に取り外し可能なトレイ、下部に取り外し可能な受け皿を持つ折りたたみ式小型テーブルに関するものである。
【背景技術】
【０００２】  ワンルームマンション、アパート等のシンク一体型小型キッチンでの調理は、その面積の狭さから調理器具（皿、鍋等）の置き場に制限があった。また、キッチンに限らず小さいテーブルでは置き場が少なく不便であった。
【考案の概要】
【考案が解決しようとする課題】
【０００３】  近年のワンルームタイプに設置されているシンク一体型小型キッチンでは、調理器具の置き場がほとんどなく、コンロの近くでは安全性が低く、またシンクの近くでは作業性が悪く調理時間が長くかかり時間的ロスが多かった。
【課題を解決するための手段】
【０００４】  本案件はシンク手前に調理器具等を載せる小型テーブルを設置しキッチン周りの面積を増やすものである。また、小さいテーブルに取り付けテーブルの面積を増やすものである。
【考案の効果】
【０００５】  上述の様にキッチン周りの面積が増えるので調理器具の無理なポジショニングを防ぎ広い置き場を提供できる。調理後上部トレイを外し皿やお椀をのせたまま移動できる。小型テーブル上で調理等をして余分な水分が床に垂れることを防ぐための小型テーブルには多数の水抜き用スリットがある。下部の受け皿も取り外し可能で受け皿にたまった水分を捨てることも容易である。不使用時は９０度下に折りたたみ、歩行等の妨げになることを防ぐ。又、小型テーブル先端、取り付け部先端には凸部があり調理器具等が落下することを防ぐ。小さいテーブルに取り付ける場合は取り付け部そのものを９０度角度を変え取り付けることができる。
【図面の簡単な説明】
【０００６】
【図１】本考案の折りたたみ式小型テーブルの一実施例を示す側面図である。
【図２】本テーブルの上面図。
【図３】本テーブルの斜めから見た図。
【図４】本テーブルの下面図。
【図５】本テーブルの側面図（折りたたみ時）
【図６】本テーブルの側面図（小さいテーブル等に取り付け時）
【考案を実施するための形態】
【０００７】  小型テーブル本体はピンを中心に９０度可動し折りたたんだ時シンク外側の側面と平行になる。又、使用時はキッチン上面と平行のラインに保持できる。固定は左右にある取り付け金具本体の２ヶ所のネジで行う。
上部トレイは小型テーブルと端部のポッチではめ込み式となっており調理時は外れたり、ずれたりということがなく、上に持ち上げれば簡単に外すことができる。
下部受け皿は小型テーブル下面のレールにより左にスライドさせ取り外すことができる。
小さいテーブル等に取り付ける場合は取り付け部そのものの角度を変え取り付ける。
【実施例】
【０００８】  以下、添付図面に従って一実施例を説明する。１は耐久性のプラスチック等適素材にて形成された小型テーブル本体。２は小型テーブル本体をシンク部に固定するための１と同素材のサブテーブルである。１はピン６にて可動する。２にはピンＢにて取り付け金具とつながっている。ネジ３を締めることにより取り付け金具Ｂ２１が動き取り付け金具Ａ２０との間隔を狭めてシンク部８に固定される。ネジ３は工具等を使用しなくても手動にて締め付け、および緩めることができる。取り付け金具Ａのシンクと接地する面にはゴム素材５、取り付け金具Ｂのシンクと接地する面にはゴム素材４が取り付けられておりシンク部８に傷が付くことを防ぐ。【０００９】  不使用時、小型テーブル１は下に向かってたたまれている。使用時のみ９０度上昇させ小型テーブルとなる。この時ダンパー７により使用時に脱落することを防ぐ。ダンパー７は不使用時はダンパーＡＢ接続ピン１１を中心にダンパーＡ７ａとダンパーＢ７ｂとに折りたたんでいるが使用時は直線状になり支えになる。【００１０】  使用時は小型テーブル１の上面にトレイ１８をセットしておく。ポッチＡ、ポッチＢ、ポッチＣ、ポッチＤにより横に外れたりずれたりすることはない。上に持ち上げれば容易に取り外すことができる。【００１１】  小型テーブル１の下面には受け皿１９があり、小型テーブル１の上で調理等をして水分等が床にこぼれて汚れるのを防ぐ。調理後に左にスライドさせ容易に取り外してたまった水分等を捨て洗うことができる。【００１２】  シンクではなく小さいテーブル等２６に取り付ける場合は取り付け金具２８そのものをピンＢ２７を軸に９０度角度を変える。この時ダンパー２２により使用時に脱落することを防ぐ。ダンパー２２は不使用時はダンパーＣＤ接続ピン２５を中心にダンパーＣ２２ａとダンパーＤ２２ｂとに折りたたんでいるが使用時は直線状になり支えになる。
【符号の説明】
【００１３】１      小型テーブル本体
２      サブテーブル
３ａ    取り付け用ネジＡ
３ｂ    取り付け用ネジＢ
４ａ    傷防止ゴムＡ
４ｂ    傷防止ゴムＢ
５ａ    傷防止ゴムＡ
５ｂ    傷防止ゴムＢ
６      ピンＡ
７ａ    ダンパーＡ
７ｂ    ダンパーＢ
８      シンク部
９      ダンパーピンＡ
１０    ダンパーピンＢ
１１    ダンパーＡＢ接続ピン
１２    レール
１３    レール
１４    ポッチＡ
１５    ポッチＢ
１６    ポッチＣ
１７    ポッチＤ
１８    トレイ
１９    受け皿
２０    取り付け金具Ａ
２１    取り付け金具Ｂ
２２ａ  ダンパーＣ
２２ｂ  ダンパーＤ
２３    ダンパーピンＡ
２４    ダンパーピンＢ
２５    ダンパーＣＤ接続ピン
２６    テーブル等
２７    ピンＢ
２８    取り付け金具本体
【図１】
0003158377.tif 000003
【図２】
0003158377.tif 000004
【図３】
0003158377.tif 000005
【図４】
0003158377.tif 000006
【図５】
0003158377.tif 000007
【図６】
0003158377.tif 000008
【手続補正書】
【提出日】平成21年12月8日(2009.12.8)
【手続補正１】
【補正対象書類名】実用新案登録請求の範囲
【補正対象項目名】請求項１
【補正方法】変更
【補正の内容】
【請求項１】
（１）本体部とサブテーブル部からなり、本体部とサブテーブル部は折りたたみ可能に連結され、
（２）取り付け金具はサブテーブル部と一体に設けられており、左右２ヶ所に設けられた手動のネジにより片側の取り付け金具が動き、もう片側の取り付け金具と挟むことによりテーブルに固定でき、
（３）本体上部に取り外し可能なトレイと本体下部に取り外し可能な受け皿を持ち、
以上からなる小型テーブル。